(57)【特許請求の範囲】
【請求項１】
物品貯蔵室を有するハウジング内に、ハウジング前面に開口する物品取出室を形成し、該物品取出室の左右内側壁の少なくとも一方に、上下方向へ直線状に延びる第１溝を形成すると共に、前端を該第１溝上端近傍へ位置させた、後上方へ延びる１つの第２溝を形成し、かつ、物品取出室上部内に扉体収納空間を形成した装置本体と、
上記物品取出室の前面開口部を開放自在に閉塞する板状の扉体下部側面から第１係合子を、また、扉体上部側面から第２係合子を、それぞれ突設し、第１係合子を上記第１溝に、また第２係合子を上記第２溝に、それぞれ移動自在に係合させた、上記扉体収納空間内へ収納可能な開閉扉とを有し、
上記物品取出室上面を該物品取出室より上方に位置する上記物品貯蔵室に物品排出路を介して連結させ、かつ、上記扉体は、第２係合子が第２溝前端に位置するときは物品取出室の前面開口部を閉鎖する第１位置をとり、また、第２係合子が第２溝後端に位置するときは物品取出室の前面開口部を開放させると共に、物品取出室上部を上下に仕切って閉塞させる第２位置をとることを特徴とする自動物品供給装置の扉開閉装置。
【請求項２】
ハウジング後壁内面から上下方向に揺動自在な複数の物品載置棚を前方突設し、
該物品載置棚に係合して物品載置棚をほぼ水平状態に保持すると共に、投入コイン判別センサーからの信号の供給により物品載置棚に対する係合を解除する係合部材をハウジング後壁内面に設け、
さらに、ハウジング内に、係合部材の係合解除により垂下する物品載置棚からの落下による物品を収納可能な上方開放の物品取出室を形成して、該物品取出室をハウジング前面へ開口させ、物品取出室の左右内側壁の少なくとも一方に、上下方向へ直線状に延びる第１溝を形成すると共に、前端を該第１溝上端近傍へ位置させた、後上方へ延びる１つの第２溝を形成し、かつ、物品取出室上部内に扉体収納空間を形成した装置本体と、
上記物品取出室の開口部を開放自在に閉塞する板状の扉体下部側面から第１係合子を、また扉体上部側面から第２係合子を、それぞれ突設し、第１係合子を上記第１溝に、また第２係合子を上記第２溝に、それぞれ移動自在に係合させた、上記扉体収納空間内へ収納可能な開閉扉とを有し、
上記物品取出室上面を該物品取出室より上方に位置する上記物品貯蔵室に物品排出路を介して連結させ、かつ、上記扉体は、第２係合子が第２溝前端に位置するときは物品取出室の前面開口部を閉鎖する第１位置をとり、また、第２係合子が第２溝後端に位置するときは物品取出室の前面開口部を開放させると共に、物品取出室上部を上下に仕切って閉塞させる第２位置をとることを特徴とする自動貸靴装置の扉開閉装置。
【発明の詳細な説明】
【０００１】
【発明の属する技術分野】
本発明は自動販売機や自動貸靴装置等の物品取出用の開口部を開閉する自動物品供給装置の扉開閉装置に関する。
【０００２】
【従来の技術】
自動販売機や自動貸靴装置等はコインの投入により所望の物品を得ることができるもので、コイン投入をセンサが検出すると物品が物品取出室に落下するようになっている。
図７は従来の自動販売機等の物品取出部を示すもので、ハウジング１内に、その前面に開口する物品取出室２を有する。該物品取出室の開口部には前後方向に揺動自在なフラッパ３が設けられ、該フラッパ上端は開口部上縁に枢着され、フラッパ下縁は開口部より下方のハウジング部分外面に当接させられている。なお、物品取出室２上面は通路４を介して図示しない物品貯蔵室に連結する。
上記従来例において、図示しないコイン投入孔にコインを投入すると、所望の物品が通路４を通って物品取出室２内へ落下する。物品取出室２内の物品を取り出すにはフラッパ３を手前に引いて開口部を開口すればよい。
【０００３】
図８は、他の従来の自動販売機等の物品取出部を示すもので、物品取出室２の開口部を上下方向にスライド自在なシャッタ板５で開閉する点で上記従来例と異なる。すなわち、シャッタ板５の左右両側は開口部の左右両側のスライドレールに摺動自在に係合され、シャッタ下端は開口部下縁に当接させられている。
物品を物品取出室２から取り出すにはシャッタ板５を上方へスライドさせて、開口部を開口させればよい。
【０００４】
【発明が解決しようとする課題】
物品取出室２開口部の開閉扉としてフラッパ３を使用する上記従来例の前者では、図７に示すように、ハウジング１の物品貯蔵室から落下した物品が物品取出室２の底壁に衝突してはね上がり、さらにフラッパ３に衝突してこれを外方へ速い速度で揺動させると共に、物品自体もハウジング１外へ飛び出るおそれがあり、物品購入者に危険を与える可能性がある。
もっともこれを防止すべく物品取出室２の底壁をより低くすることも考えられるが、こうすると物品を取り出しにくくなる。
また、図９に示すように、通路４には何の障害物もないため開口部から手を通路４内へ差し込むことが可能であり、このため物品の盗難を防止し得ないばかりか、ハウジング１内の部品に触れる危険性をも防止し得ない欠点がある。
【０００５】
一方、上記従来例の後者では、シャッタ板５の左右両側はスライドレールに摺動自在に係合させられているから、物品がはね上がってシャッタ板５に衝突してもシャッタ板５は外方へ揺動することがなく、このため購入者に危険を与えるおそれはないが、図１０に示すように開口部から通路４内へ手を差し込むことが可能であること上記従来例の前者と同様である。
【０００６】
請求項１及び２記載の自動物品供給装置の扉開閉装置は、扉体に設けた第１係合子を物品取出室内側壁の第１溝に係合させることにより、物品の衝突による扉体揺動を防止し、これによって物品購入者への危険を未然に防止すると共に、扉体が物品取出室の開口部を開放するときは、該扉体に物品取出室上部を閉塞させることにより、物品排出路内への手の差込み防止を図るものである。
【０００７】
【課題を解決するための手段】
第１の手段として、物品貯蔵室を有するハウジング内に、ハウジング前面に開口する物品取出室を形成し、該物品取出室の左右内側壁の少なくとも一方に、上下方向へ直線状に延びる第１溝を形成すると共に、前端を該第１溝上端近傍へ位置させた、後上方へ延びる１つの第２溝を形成し、かつ、物品取出室上部内に扉体収納空間を形成した装置本体と、
上記物品取出室の前面開口部を開放自在に閉塞する板状の扉体下部側面から第１係合子を、また、扉体上部側面から第２係合子を、それぞれ突設し、第１係合子を上記第１溝に、また第２係合子を上記第２溝に、それぞれ移動自在に係合させた、上記扉体収納空間内へ収納可能な開閉扉とを有し、
上記物品取出室上面を該物品取出室より上方に位置する上記物品貯蔵室に物品排出路を介して連結させ、かつ、上記扉体は、第２係合子が第２溝前端に位置するときは物品取出室の前面開口部を閉鎖する第１位置をとり、また、第２係合子が第２溝後端に位置するときは物品取出室の前面開口部を開放させると共に、物品取出室上部を上下に仕切って閉塞させる第２位置をとることを特徴とする。
【０００８】
第２の手段として、ハウジング後壁内面から上下方向に揺動自在な複数の物品載置棚を前方突設し、
該物品載置棚に係合して物品載置棚をほぼ水平状態に保持すると共に、投入コイン判別センサーからの信号の供給により物品載置棚に対する係合を解除する係合部材をハウジング後壁内面に設け、
さらに、ハウジング内に、係合部材の係合解除により垂下する物品載置棚からの落下による物品を収納可能な上方開放の物品取出室を形成して、該物品取出室をハウジング前面へ開口させ、物品取出室の左右内側壁の少なくとも一方に、上下方向へ直線状に延びる第１溝を形成すると共に、前端を該第１溝上端近傍へ位置させた、後上方へ延びる１つの第２溝を形成し、かつ、物品取出室上部内に扉体収納空間を形成した装置本体と、
上記物品取出室の開口部を開放自在に閉塞する板状の扉体下部側面から第１係合子を、また扉体上部側面から第２係合子を、それぞれ突設し、第１係合子を上記第１溝に、また第２係合子を上記第２溝に、それぞれ移動自在に係合させた、上記扉体収納空間内へ収納可能な開閉扉とを有し、
上記物品取出室上面を該物品取出室より上方に位置する上記物品貯蔵室に物品排出路を介して連結させ、かつ、上記扉体は、第２係合子が第２溝前端に位置するときは物品取出室の前面開口部を閉鎖する第１位置をとり、また、第２係合子が第２溝後端に位置するときは物品取出室の前面開口部を開放させると共に、物品取出室上部を上下に仕切って閉塞させる第２位置をとることを特徴とする。
【０００９】
【発明の実施の形態】
図１及び図２は請求項１記載の発明に係る自動物品供給装置の扉開閉装置の要部を示す。
１０はハウジングで、該ハウジングは前面に開口する物品取出室１１を有し、該物品取出室の前面開口は物品取出口１２を形成する。物品取出室１１の後部上面は物品排出路１３に開口し、該物品排出路は図示しない物品貯蔵室に連結する。物品取出室１１の左右の内側壁に第１溝１４及び第２溝１５を形成する。すなわち、上下方向の第１溝１４は物品取出口１２近傍に位置し、かつ、物品取出口１２の左右側縁に対し略平行になっている。また、該第１溝１４下端は物品取出口１２下縁よりもやや上方に位置すると共に、第１溝１４上端は物品取出口１２上縁よりもやや下方に位置する。
【００１０】
一方、第２溝１５は前端を第１溝１４上端の直上に位置させて斜め後上方へ延び、かつ、後端を物品排出路１３の下端後部に位置させている。しかし、溝の形状はこれに限らず、例えば全体を円弧状に形成してもよく、あるいは前端部のみを円弧状に形成し、他の部分を斜め上方へ傾斜する直線状にしてもよい。
なお、物品取出室１１の上端部は後述の開閉扉１７を収納させるための扉体収納空間１６を形成する。
【００１１】
１７は開閉扉で、物品取出口１２を開放自在に閉塞する板状の扉体１８を有する。該扉体の左右方向の幅は物品取出室１２の左右方向の幅とほぼ等しいか、または、これよりもやや小さくされている。扉体１８の左右両側面の上下端のそれぞれからブラケットを介してピンを突設し、下方の第１ピン１９を第１溝１４内へ、また、上方の第２ピン２０を第２溝１５内へ、それぞれ摺動自在に係合させている。
なお、ピンの代わりにローラを使用し、該ローラを溝１４、１５に転動自在に係合させてもよい。
開閉扉１７は、扉体１８下端から前方突設する把手２１をもって押し上げることにより扉体収納空間１６内へ収納可能になっている。
【００１２】
次に本実施形態の作用について説明する。
図１に示す物品取出口１２の閉塞状態において、第１ピン１９は第１溝１４下端に位置すると共に、第２ピン２０は第２溝１５の前端に位置する。このため図３に示すように物品がはね上がって開閉扉１７に衝突しても開閉扉は外方へ揺動することがない。
この物品取出口１２閉塞状態から該物品取出口を開放するには把手２１を上方へ押し上げればよく、すると第１ピン１９は第１溝１４内を上方移動すると共に、第２ピン２０は第２溝１５内を後方移動する。
【００１３】
一方、開閉扉１７は第１及び第２ピンの移動と共に上昇しつつ徐々に後方への傾斜角度を増大させ、図２に示すように第１ピン１９が第１溝１４上端へ、また、第２ピン２０が第２溝１５後端へ、それぞれ達したところで扉体収納空間１６内へ完全に収納される。この時点において開閉扉１７はほぼ水平状態か、又は水平状態からやや前下方へ傾斜した状態にあって物品取出室１１の上端部を上下に仕切って閉塞する。このため図４に示すように物品排出路１３内へ手を差し込むことが不可能になる。
【００１４】
図５及び図６は請求項２記載の発明に係る自動貸靴装置の扉開閉装置を示す。２２はハウジングで、該ハウジング後壁２３内面に支持軸２４を取り付けて、該支持軸に物品載置棚２５後端を回動自在に軸支させると共に、該支持軸に係合板２６を固定させる。そして、該係合板上端を、ハウジング２３後壁に回動自在に枢着させた係合部材２７に係合させる。該係合部材は図示しない投入コイン判別センサーからの信号の入力により上方へ回動して係合板２６との係合から離脱するようになっている。
【００１５】
また、ハウジング２２前面にコイン投入孔と物品取出口２８とを形成すると共に、ハウジング２２内にその前面に開口する物品取出室２９を形成し、該物品取出室の底部に物品載置棚２５から落下する貸靴を受け止める床板３０を設ける。
【００１６】
この物品取出室２９の構造は、第２溝３２の形状を除いて図１に示すものと同一構成であるから、ここでは符号の説明に止める。３１は物品取出室２９内側面に形成した第１溝、３２は第２溝、３３は物品取出口２８を開放自在に閉塞する開閉扉、３４は開閉扉３３下端の第１ピン、３５は開閉扉３３上端の第２ピンである。
なお、物品取出室２９は通常ハウジング２２の上下方向中間部と下端部とに設ける。図５では下端部の物品取出室２９を省略している。
【００１６】
次に上記構成に係る自動貸靴装置の作用について説明する。
コイン投入孔に投入されたコインを、投入コイン判別センサーが真正であると判断すると、該センサーは係合部材２７に信号を出力する。すると係合部材２７は時計方向へ回動して係合板２６との係合から離脱するため、物品載置棚２５は反時計方向へ回動してその上に載置させた図示しない貸靴を落下させる。
物品取出室２９の床板３０上に落下した貸靴を取り出すには開閉扉３３を押し上げればよいこと上記同様である。
【００１７】
【発明の効果】
請求項１及び２記載の扉開閉装置は、扉体から突設した第１係合子を第１溝に、第２係合子を第２溝に、それぞれ係合させたので、物品が物品取出室底壁からはね上がって扉体に衝突しても扉体は揺動することがなく、このため物品購入者への物品や扉体の衝突が未然に防止される。
また、扉体は第２係合子が第２溝後端に位置するときは物品取出室上部を上下に仕切って閉塞させるため、物品排出路内への手の差込みが不可能になり、このため物品の盗難防止が図れると共に、ハウジング内部品との接触により招来される危険を未然に防止することができる。
【図面の簡単な説明】
【図１】請求項１記載の発明に係る扉開閉装置の閉扉状態を示す要部断面図。
【図２】同じく、開扉状態を示す要部断面図。
【図３】同じく、図１の作用説明図。
【図４】同じく、図２の作用説明図。
【図５】請求項２記載の発明に係る扉開閉装置の略示側面図。
【図６】同じく、正面図。
【図７】従来のフラッパー式扉開閉装置を示す略示図。
【図８】同じく、スライド式扉開閉装置を示す略示図。
【図９】同じく、図７の作用説明図。
【図１０】同じく、図８の作用説明図。
【符号の説明】
１０、２２  ハウジング
１１、２９  物品取出室
１２、２８  物品取出口
１４、３１  第１溝
１５、３２  第２溝
１６  扉体収納空間
１７、３３  開閉扉
１８  扉体
１９、３４  第１係合子
２０、３５  第２係合子
２３  ハウジング後壁
２５  物品載置棚
２６  係合板
２７  係合部材
【図１】
0004093624.tif 000002
【図２】
0004093624.tif 000003
【図３】
0004093624.tif 000004
【図４】
0004093624.tif 000005
【図５】
0004093624.tif 000006
【図６】
0004093624.tif 000007
【図７】
0004093624.tif 000008
【図８】
0004093624.tif 000009
【図９】
0004093624.tif 000010
【図１０】
0004093624.tif 000011